(57)【特許請求の範囲】
【請求項１】
未固結物質を搬送するためのコンベヤスクリュー装置（１０）であって、
前記未固結物質を押圧して搬送するアルキメデススクリュー（２１）を回転軸（Ｘ）を中心として回転させるパワーユニット（２０）と、
前記アルキメデススクリュー（２１）を収容し、中に搬送路を形成する円筒体（３１）と、
前記未固結物質が、前記搬送路の前方から後方に、前記アルキメデススクリュー（２１）により、アルキメデススクリュー（２１）の回転軸（Ｘ）に沿って第１の方向（Ｆ１）に搬送されるように、前記未固結物質を前記搬送路の前側に供給するチャージングホッパー（３０）と、
前記円筒体（３１）の後部に接続され、使用者に向けて前記未固結物質を空気の流れにより搬送する搬送チャンネル（４０）と、
前記未固結物質を伴った空気の流れの前記チャージングホッパー（３０）方向への逆流を防ぐように、前記搬送路から前記搬送チャンネル（４０）への貫通孔（６３）を開閉するための逆流防止装置（７０）と、を具備し、
前記逆流防止装置（７０）は、弾性部材（８１、９０）の作用を受けるプレート（７１Ａ）が設けられているシャッター（７１）を有しており、このシャッターは、前記貫通孔（６３）の開閉のいかなる工程でも、前記第１の方向（Ｆ１）に直交して延びており、
前記プレート（７１Ａ）には、ベルビルワッシャとして形成された硬化フォイル（９０）が設けられており、
前記硬化フォイル（９０）の外周縁は、前記プレート（７１Ａ）の外周縁に向かって延びている、ことを特徴とする装置（１０）。
【請求項２】
前記硬化フォイル（９０）は、中心孔（９１）から前記外周縁へと放射状に延びている複数の部材（９２）を有していることを特徴とする、請求項１に記載の装置（１０）。
【請求項３】
前記複数の部材（９２）の各々は、台形であることを特徴とする、請求項２に記載の装置（１０）。
【請求項４】
前記硬化フォイル（９０）は、鋼鉄によって形成され、また、前記プレート（７１Ａ）は、プラスチック材によって形成されていることを特徴とする請求項１乃至３のいずれか１に記載の装置（１０）。
【請求項５】
円筒形状の手段（５０、６０）が、前記円筒体（３１）と前記搬送チャンネル（４０）との間に配置されており、この中で、前記逆流防止装置（７０）の力に抗した方向の押圧力により、前記未固結物質が圧縮されて、詰め物となり、また、前記貫通孔（６３）は、前記円筒形状の手段（５０、６０）に設けられており、この貫通孔（６３）の後端には、前記詰め物を破壊するように作用する鋭い周エッジ（６２＊）が設けられていることとを特徴とする、請求項１乃至４のいずれか１に記載の装置（１０）。
【請求項６】
前記シャッター（７１）は、前記円筒形状の部分（６２）の周エッジ（６２＊）と前記プレート（７１Ａ）の周エッジ（７１＊）との間に設けられているほぼ円筒形の吐出面を開けることを特徴とする請求項５に記載の装置（１０）。
【請求項７】
前記プレート（７１Ａ）は、前記プレート（７１Ａ）の後端面（ＦＣ）から後方に突出しており、後端面に中心盲穴（７２）を有しているハブ（７１Ｂ）と、一体且つ同軸であることを特徴とする、請求項１乃至６のいずれか１に記載の装置（１０）。
【請求項８】
金属のカラー（７３）が、前記中心盲穴（７２）中に挿入されており、このカラーは、前記中心盲穴（７２）の内径と同じ外径を有し、また中心盲穴（７２）の内周面には複数の溝（７５）が設けられており、これら複数の溝（７５）は、同軸のねじ付ロッド（７８）と一体であるシャフト（７７）の外周面に設けられている対応する複数の細長いレリーフ（７６）に、シャフトが前記中心盲穴（７２）に挿入されて、結合され、そして、前記複数の細長いレリーフ（７６）と前記複数の溝との結合が、前記カラー（７３）に対する前記シャフト（７７）の回転を防ぎ、前後方向の前記シャフト（７７）の摺動を可能にすることを特徴とする、請求項７に記載の装置（１０）。
【請求項９】
前記逆流防止装置（７０）は、調整ディスク（７９）を更に有しており、この調整ディスク（７９）には、前記ねじ付ロッド（７８）が中に挿入される中心孔（８０）が設けられていることを特徴とする、請求項８に記載の装置。
【請求項１０】
前記逆流防止装置（７０）は、螺旋ばね（８１）を更に有しており、この螺旋ばねは、前記カラー（７３）と前記シャフト（７７）との両方の外周面を囲んでいることを特徴とする請求項９に記載の装置（１０）。
【請求項１１】
前記螺旋ばね（８１）の前端部（８１Ａ）が、前記ハブ（７１Ｂ）の一部分（７１Ｂ＊）と前記カラー（７３）の外周面との間の隙間によって形成された肩部（ＳＰ）に支持され、前記螺旋ばね（８１）の後端部（８１Ｂ）が、前記調整ディスク（７９）の前端面（ＳＵＰ）に支持されていることを特徴とする、請求項１０に記載の装置（１０）。
【請求項１２】
複数の調整手段（８２Ａ、８２Ｂ）が、前記ねじ付ロッド（７８）と螺合されており、これら調整手段（８２Ａ、８２Ｂ）は、前記調整ディスク（７９）と一緒に、前記ねじ付ロッド（７８）に沿って前後方向に移動されることによって、これらの位置に応じて前記螺旋ばね（８１）の事前の付勢力を調整することを特徴とする、請求項１１に記載の装置（１０）。
【請求項１３】
前記アルキメデススクリュー（２１）と前記円筒体（３１）とは、樹脂によって形成されていることを特徴とする請求項１乃至１２のいずれか１に記載の装置（１０）。
【請求項１４】
前記円筒形状の手段（５０、６０）は、樹脂によって形成されていることを特徴とする請求項５又は６に記載の装置（１０）。
【発明の詳細な説明】
【技術分野】
【０００１】
本発明は、未固結物質を搬送するためのコンベヤスクリュー装置に関わる。このようなコンベヤスクリュー装置は、本分野では、「パウダーポンプ」としても知られている。
【０００２】
特に、本発明は、セメント、石灰などの未固結物質の搬送に有効に適用されるが、このことに限定されない。従って、本発明に対する明確な説明が、普遍性を失わないで、以下に為される。
【背景技術】
【０００３】
現在市場にある未固結物質を搬送するためコンベヤスクリューは、
−前記未固結物質を押圧するようにアルキメデススクリューを回転させるためのパワーユニットと、
−円筒体中に少なくとも搬送路の１つのセクションのための前記未固結物質と前記アルキメデススクリューとを収容する、前記未固結物質のチャージングホッパーと、
−前記円筒体に直列して接続され、使用者に向けて前記未固結物質を搬送する搬送チャンネルと、
−前記搬送チャンネル中に与えられる前記未固結物質の空圧要素と、
−押圧する空気の逆流を防ぎ、前記アルキメデススクリューと前記搬送チャンネルとの間の遷移部にある逆流防止装置と、を有している。
【０００４】
この形式のコンベヤスクリューは、ジェットの形態で前記搬送チャンネル中に射出された空気を口（ＢＣ）へと逆流させないで前記ホッパーから落ちるように、未固結物質を連続してチャージすることが、可能でなければならない。
【０００５】
実際に、一般に使用されているシステムでは、搬送している空気が、使用者にとって非常に望ましくない方法で、流れを変えることと、前記ホッパーのチャージ口から逆流することと、かくして前記未固結物質の一部を外部に搬送することを防ぐために、且つ前記ホッパーの口に空気と粒子とを放出することを防ぐために、前記未固結物質の圧縮を利用するように提案されている。
【０００６】
周知の解決法では、チェックバルブが、前記ホッパーの口への、空気と粒子との逆流を防ぐように適用されている。この場合、ディスクが周エッジに取着されており、この周エッジは、この重さのために、前記アルキメデススクリューが収容されている前記円筒体と前記搬送チャンネルとの間の貫通したセクションを閉じる。
【０００７】
しかしながら、この形式のシステムの複数の機能的制限のうちの１つは、安心のために、搬送される粒子が細かく且つ圧縮可能でなければならず、この結果、一連の詰め物（plug）が、前記アルキメデススクリューのピッチを減じることによって形成され得る。これら詰め物は、前記ホッパーの口への空気の逆流を防ぐように互いに連なっている。
【０００８】
更に、このシステムによって研磨特性のある未固結物質を搬送することは、前記アルキメデススクリューのコイルでの大きな摩擦が、前記スクリューと前記円筒体との間のカップリングに悪影響を与える。従って前記コイルと前記円筒体の内壁との間にある物質によって与えられるシール作用を減じるので、更なる問題である。
【０００９】
使用時に、詰め物のような物質が前記搬送チャンネル中に落ちると、これは、圧縮された空気の少なくとも１つのジェットによって囲まれる。まず、このようなジェットは、前記詰め物を壊し、前記詰め物に属している粉末を使用者に向けて搬送するために必要なエネルギーに影響を与える。
【発明の概要】
【００１０】
従って、本発明の主要な課題は、未固結物質を搬送するための、上述の欠点が無く、使用が容易で且つコスト効果があるコンベヤスクリュー装置を提供することである。
【００１１】
かくして、本発明に従えば、未固結物質を搬送するためのコンベヤスクリュー装置は、添付の請求項に従って提供される。
【図面の簡単な説明】
【００１２】
【図１】図１は、第１の構成（閉じられたシャッター）の本発明の未固結物質を搬送するためのコンベヤスクリュー装置の組立図である。
【図２】図２は、第２の構成（開かれたシャッター）の本発明の未固結物質を搬送するためのコンベヤスクリュー装置の組立図である。
【図３】図３は、図１の装置に使用される、押圧する空気の逆流を防ぐための逆流防止装置の組立図である。
【図４】図４は、図３に示されている逆流防止装置に付属しているシャッターを示す図である。
【図５】図５は、図４に示されているシャッターの一部に入れられる金属インサートを示す図である。
【図６】図６は、図１、図２の装置に使用されているフランジ付きスリーブを示す図である。
【図７】図７は、図３に示されている逆流防止装置に使用されるプレートの隣接カラーを示す図である。
【発明を実施するための形態】
【００１３】
本発明は、非制限的な実施形態を示す添付の図を参照して、説明される。
【００１４】
図１及び図２では、参照符号１０が、本発明の、未固結物質を搬送するためのコンベヤスクリュー装置の全体を示している。
【００１５】
このような装置１０は、直列で配置されている以下の装置、即ち、
−アルキメデススクリュー２１の回転軸（Ｘ）にほぼ平行で第１の矢印（Ｆ１）によって規定されている第１の方向に従って未固結物質を搬送するアルキメデススクリュー２１を回転させるように作用する、モータレデューサユニット（a motoreducer unit）２０と、
−円筒体３１中に、搬送路の少なくとも１つのセクションのための前記アルキメデススクリュー２１と前記未固結物質とを収容し、前記第１の矢印（Ｆ１）によって規定されている第１の方向にほぼ直交している第２の矢印（Ｆ２）によって規定されている第２の方向の、（チャージ口（ＢＣ）が設けられている、）未固結物質のチャージングホッパー３０と、
−前記円筒体３１に直列して配置され、使用者（図示されていない）に向って前記未固結物質を搬送する搬送チャンネル４０と、
−前記搬送チャンネル４０中の未固結物質の空圧ジェット（図示されていない）であって、このジェットは、第３の矢印（Ｆ３）によって規定されている第３の方向に沿って方向付けられており、この第３の方向は、第４の矢印（Ｆ４）によって規定されている第４の方向、即ち前記物質が前記円筒体３１から前記搬送チャンネル４０（下記参照）中に落ちる方向とほぼ直交する、空圧ジェットと、を有している。
【００１６】
前記円筒体３１は、樹脂、例えばポリウレタンによって形成されていることが有効である。更に、前記アルキメデススクリュー２１のコイルもまた、ポリウレタンによって形成されていることが有効である。
【００１７】
この場合、前記円筒体３１は、樹脂によって形成されているために弾性的であり、前記アルキメデススクリュー２１のコイルに適合し得る。このコイルと前記円筒体３１の内壁との間の摩擦の削減によって、一般の機械より長い機械が使用可能となり、従って、前記アルキメデススクリュー２１の一般の回転速度より低速の回転速度によって、同じ結果が得られ得る。本発明では、前記アルキメデススクリューの搬送速度の低下が、減速機を使用することによって生じる。更に、従来のシステムと比べて６０−７０％少ないパワーが、前記アルキメデススクリュー２１を回転させるために使用される。
【００１８】
更に、対応する前記コイルの直径（Ｄ）に応じた前記アルキメデススクリュー２１の長さ（Ｌ）の最小値及び最大値が、より少ないモータパワーによって種々の未固結物質の好ましい流速を得るために、理論的に算出されている。  
（Ｌ最小値）＝４（Ｄ）  
（Ｌ最大値）＝６（Ｄ）
また、このような理論的な結果は、同出願人によって行われた種々の実験によって、確認されている。
【００１９】
図１、図２に示されているように、実際では、ポリウレタンによって形成されていることが同様に有効である結合スリーブ５０（図６）が、前記円筒体３１と前記搬送チャンネル４０との間に配置されている。
【００２０】
前記搬送チャンネル４０に徐々に送られる圧縮された未固結物質の詰め物が、スリーブ５０と、隣接するカラー６０との中で、前記アルキメデススクリュー２１の最後のコイルに形成されている。このような詰め物は、後で判るように、外部への空気の逆流を防ぐ。
【００２１】
更に、図７を参照すると、前記隣接するカラー６０は、前記円筒体３１と前記スリーブ５０との両方の理想的な連結を示す円筒形状の部分６２を有していることが、重要である。
【００２２】
以下に説明される技術的な理由のために、前記円筒形状の部分６２には、鋭い周エッジ６２＊が設けられており、このようなエッジは、前記円筒形状の部分６２に生じ得る未固結物質の塊を破壊するように作用する（下記参照）。
【００２３】
図１及び図２に示されているように、前記フランジ付きスリーブ５０は、前記搬送チャンネル４０の入口部分である箱形状体４１の壁（ＷＬ）を間に挟むようにして、前記隣接カラー６０と結合されている。
【００２４】
前記箱形状体４１は、未固結物質が前記搬送チャンネル４０へと通過できるように、開口部（ＯＰ）を有していることが明らかである。
【００２５】
前記搬送チャンネル４０は、パイプ４３で終端しているファンネル４２を更に有しており、このファンネル４２の長手方向の対称軸（Ｙ）は、前記第３の矢印（Ｆ３）によって規定されている第３の方向とほぼ平行であり、一方で、このような軸（Ｙ）は、前記第４の矢印（Ｆ４）によって規定されている第４の方向とほぼ直交している。
【００２６】
前述のように、未固結物質を使用位置（図示されていない）に吐出する前記空圧ジェット（図示されていない）は、前記第３の矢印（Ｆ３）によって規定されている前記第３の方向にほぼ平行な軸を有するように、パイプ４３中に与えられる。従って、この軸は、前記パイプ４３の軸（Ｙ）に対しても平行である。
【００２７】
図１、図２、図３、図７に詳細に示されているように、逆流防止装置（７０）は、（前記周エッジ６２＊を有する）貫通孔６３に関連して設けられており、この逆流防止装置は、前記パイプ４３中の前記ジェットによって吐出される空気が、前記ホッパー３０の前記口（ＢＣ）へと逆流することを防ぐ。この空気は、未固結物質の分子を一緒に搬送しており、これら分子が周囲に分散されると、この周囲と前記未固結物質の前記チャージ口（ＢＣ）の付近の操縦者とに対して、非常に有害な影響を与える。
【００２８】
前記逆流防止装置７０の構成部材が、図３に詳細に示されている。
【００２９】
図３は、前記逆流防止装置７０がまずディスク形状のシャッター７１（図４）を有していることを、示している。このシャッターは、ポリウレタンのような樹脂によって形成されていることが有効であるが、必ずしも樹脂によって形成されなくてもよい。
【００３０】
ちなみに、前記ディスク形状のシャッター７１は、前記逆流防止装置７０中で特に使用されると説明されているが、物質搬送の分野で使用される他の同様に興味深い使用が、可能である。従って、前記シャッター７１は、添付の図面を参照して説明されているものとは異なる状況で動作することが、考えられる。
【００３１】
前記シャッター７１は、次に、軸（Ｚ）を有するプレート７１Ａを有しており、このプレート７１Ａは、同軸の穿孔されたハブ７１Ｂと、１つの部品として形成されている。前記軸（Ｚ）は、使用時に、前記アルキメデススクリュー２１の前述の回転軸（Ｘ）の延長上にあることが理想である。
【００３２】
前記穿孔されたハブ７１Ｂは、前記プレート７１Ａの側面（ＦＣ）から突出しており、同じ直径のカラー７３が中に挿入されている中心盲穴７２を有している。前記カラー７３は、金属の材料によって形成されており、前記穿孔されたハブ７１Ｂの一部分７１Ｂ＊を前記カラー７３に取着させる取着スクリュー（図示されていない）が設けられているクリップ（ＦＳＣ）によって、前記中心盲穴７２中に留められている。
【００３３】
複数の溝７５が、前記カラー７３の内面７４に設けられており、これら溝７５は、使用時に、同軸のねじ付ロッド７８と一体であるシャフト７７に配置されている対応する複数の細長いレリーフ７６に結合される。前記細長いレリーフ７６と前記溝７５との結合は、前記カラー７３に対する前記シャフト７７の回転を防止し、第５の２頭の矢印（Ｆ５）によって規定されている２つの方向に従った前記シャフト７７の摺動を可能にする。
【００３４】
逆流防止装置７０は、前記シャフト７７の前記シャッター７１の反対側に配置されている調整ディスク７９を更に有している。
【００３５】
この調整ディスク７９には、前記ねじ付ロッド７８が使用時に中に挿入される中心孔８０が設けられている（図３参照）。
【００３６】
次に、螺旋ばね８１があり、このばねは、使用時に、このばねのコイルによって、前記カラー７３と前記シャフト７７と前記ねじ付ロッド７８の一部とを囲んでいる。
【００３７】
図３に示されているように、使用時、前記螺旋ばね８１の第１の端部８１Ａが、前記一部分７１Ｂ＊と前記カラー７３の外面との間の隙間によって形成された肩部（ＳＰ）に支持され、前記螺旋ばね８１の第２の端部８１Ｂが、使用時、前記調整ディスク７９の一面（ＳＵＰ）に支持される。
【００３８】
更に、図３に示されているように、２つのナット８２Ａ、８２Ｂが、前記調整ディスク７９の両側で、前記ねじ付ロッド７８に、ねじ込まれている。前記ナット８２Ａ、８２Ｂは、前記調整ディスク７９と一緒に、前記２頭の矢印（Ｆ５）によって規定されている２つの方向のうちの一方に前記調整ディスク７９を軸移動させることによって、これらの位置に応じて前記螺旋ばね８１の事前の付勢力を調整するために、使用される（図１、図２参照）。
【００３９】
更に、前記ねじ付ロッド７８の自由端部（ＥＬ）が、周知の手段（図示されていない）によって前記箱形状体４１の壁（ＷＬ）に固定される。
【００４０】
前述の部材の特定の配置のために、シャッター７１とカラー７３とは、前記シャフト７７と、これと一体である前記ねじ付ロッド７８と、前記調整ディスク７９とに対して移動し得る。前記シャッター７１の移動は、前記第５の２頭の矢印（Ｆ５）によって規定されている２つの方向の一方で、行われることが明らかである。
【００４１】
言い換えると、前記貫通孔６３の開閉のいかなる工程でも、前記螺旋ばね８１の作用を受ける前記シャッター７１は、前記円筒体３１中で未固結物質を搬送するように前記矢印（Ｆ１）によって規定されている第１の方向とほぼ直交するように、常に保たれている。
【００４２】
使用時に、前記ホッパー３０から落ちる未固結物質は、前記アルキメデススクリュー２１のコイルによって、前記搬送チャンネル４０に向かって押される。
【００４３】
前記アルキメデススクリューの最後のコイルでは、フランジ付きスリーブ５０と隣接カラー６０とに、詰め物の一種が、設けられており、この詰め物は、前記シャッター７１の正面（ＦＦ）によって生じられる抵抗に対して前記未固結物質を押圧することによって、与えられる（図３参照）。
【００４４】
そして、この詰め物は、前記アルキメデススクリュー２１のコイルによって、前記シャッター７１に押圧される。このアルキメデススクリュー２１のコイルによって前記詰め物に与えられる力が,
前記螺旋ばね８１によって与えられる弾性力を超えると、前記シャッター７１は、（前記第５の２頭の矢印（Ｆ５）によって規定されている１つの方向で、）右に移動し、かくして、ほぼ円筒形の吐出面を開ける。この吐出面は、前記円筒形状の部分６２の周エッジ６２＊と前記プレート７１Ａの周エッジ７１＊（図３、図４参照）との間に設けられている。
【００４５】
言い換えると、前記物質は、前記隣接するカラー６０から前記搬送チャンネル４０に、落ちる未固結物質の、全周角（whole round angle）を囲む「ファン」の性質によって、吐出される。
【００４６】
図４、図５に詳しく示されているように、調和的な鋼鉄（harmonic steel）によって、もしくはローバスト性と弾性とに類似した特徴を有している他の材料によって好ましくは形成されている硬化フォイル９０が、例えばポリウレタンによって好ましくは形成されている前記プレート７１Ａに、設けられている。
【００４７】
実際に、硬化部材を含んでいないプレート７１Ａは、プラスチック材料の機械的性質の自然な衰退によって、時間の経過によって弾性と弾力とを失い得る。
【００４８】
図４及び図５に示されている実施形態では、前記硬化フォイル９０は、中から複数のほぼ台形の部材９２が径方向に延びている中心孔９１を有している。完成された部品では、前記硬化フォイル９０は、前記プレート７１Ａが置かれている面と同じ面上に実質的に置かれており、また、前記プレート７１Ａを形成している樹脂によって、両面に完全に取着され得る。
【００４９】
「ベルビルワッシャ」の一種であるこのような硬化フォイル９０は、このフォイル９０が設けられている前記プレート７１Ａに、弾力と弾性との特徴を与え、かくして、このプレート７１Ａを、所望の使用に完全に適合させる。従って、実際に、前記プレート７１Ａは、前記円筒形状の部分６２の周エッジ６２＊（図７参照）に支持されることによって、前記貫通孔６３を閉じるために必要な弾性を、時間が経過しても、失わない。前述のように、前記周エッジ６２＊は、前記円筒形状の部分６２に生じ得る未固結物質の塊を破壊するように作用するほどに、鋭い。この周エッジ６２＊に未固結物質をなくすことが、前記プレート７１Ａのこの周エッジ６２＊に対する完全な接着を可能にし、従って、空気／未固結物質の混合物が前記円筒体３１中の前記ホッパー３０の前記口（ＢＣ）に逆流するのを防ぐ改良されたシールを、形成する。  
本発明は、また、
−前記シャッター７１は、樹脂によって形成されたプレート７１Ａを有しており、このプレート７１Ａには、ベルビルワッシャとして形成された硬化フォイル９０が設けられていることと、
−前記硬化フォイル９０は、複数の径方向の部材９２が設けられている中心孔９１を有していることと、
−前記部材９２は、台形であることと、
−前記硬化フォイル９０は、調和的な鋼鉄によって形成されており、樹脂の層に、特に、ポリウレタン樹脂の層に取り付けられることと、
−未固結物質の搬送のためのコンベヤスクリュー装置１０は、
・少なくとも１つのコイルが設けられており前記未固結物質を押圧するアルキメデススクリュー２１を回転するように作用するパワーユニット２０と、
・円筒体３１中に搬送路の少なくとも１つのセクションのための前記アルキメデススクリュー２１と前記未固結物質とを収容する前記未固結物質のチャージングホッパー３０であって、前記未固結物質は、前記アルキメデススクリュー２１の回転軸Ｘに対してほぼ平行である矢印（Ｆ１）によって規定されている第１の方向に従って搬送される、チャージングホッパー３０と、を有しており、
対応するコイルの直径（Ｄ）に応じて、前記アルキメデススクリュー２１の長さ（Ｌ）の最小値及び最大値が、
（Ｌ最小値）＝４（Ｄ）  
（Ｌ最大値）＝６（Ｄ）であることと、
−この装置１０は、未固結物質を伴った押圧する空気の逆流を防ぐように前記搬送チャンネル４０への貫通孔６３を閉じるための逆流防止装置７０を更に有し、また、この逆流防止装置７０は、弾性部材８１、９０の作用を受けるプレート７１Ａが設けられているシャッター７１を有しており、このシャッターは、前記貫通孔６３の開閉のいかなる工程でも、前記円筒体３１で前記物質を搬送するように矢印（Ｆ１）によって規定されている第１の方向と常にほぼ直交していることと、
に関わる。
【００５０】
本発明の未固結物質を搬送するためのコンベヤスクリュー装置の主要な効果は、空気／未固結物質の混合物の、前記搬送チャンネルから前記ホッパーのチャージ口への望ましくない逆流が防がれ、かくして、未固結物質の一部の外部への有害な散布が防がれることである。
【図１】
0005694160.tif 000002
【図２】
0005694160.tif 000003
【図３】
0005694160.tif 000004
【図４】
0005694160.tif 000005
【図５】
0005694160.tif 000006
【図６】
0005694160.tif 000007
【図７】
0005694160.tif 000008